(57)【要約】【課題】動画像から不要な部分を除外して記録媒体の必要容量を削減すると共に、利用者に対して動画の再生画像を見栄えよく表示する。【解決手段】動画を構成する複数の画像を撮像する撮像部と、撮像部により撮像される画像の被写体が画面上で揺れる揺れの大きさを検出する検出部と、検出部により検出された揺れの大きさが、予め定められた基準値よりも大きい場合に、当該揺れの大きさが基準値よりも小さい場合と比較して、撮像部により単位時間当たりに撮像される画像の数を減少させる撮像制御部とを備える撮像装置を提供する。【選択図】図２
2006311145.tif 000002
【特許請求の範囲】
【請求項１】
動画を構成する複数の画像を撮像する撮像部と、
前記撮像部により撮像される画像の被写体が画面上で揺れる揺れの大きさを検出する検出部と、
前記検出部により検出された揺れの大きさが、予め定められた基準値よりも大きい場合に、当該揺れの大きさが前記基準値よりも小さい場合と比較して、前記撮像部により単位時間当たりに撮像される画像の数を減少させる撮像制御部と
を備える撮像装置。
【請求項２】
前記撮像制御部は、前記検出部により検出された揺れの大きさが前記基準値よりも大きい場合に、前記撮像部により被写体を静止画のコマ送り画像として撮像させる
請求項１記載の撮像装置。
【請求項３】
前記撮像制御部により、単位時間当たりに撮像される当該画像の数が減少された場合に、当該画像の数が減少されていない場合と比較して、前記撮像部により各々の前記画像を撮像する場合の露出時間を短縮させる露出時間制御部
を更に備える請求項１記載の撮像装置。
【請求項４】
前記撮像制御部は、前記撮像部がズームインおよびズームアウトの一方の操作を行ってから予め定められた期間内に他方の操作を行った場合に、当該他方の操作を開始してから、当該一方の操作を開始する前のズーム位置に達するまでの間に撮像されるべき画像の少なくとも一部を、前記撮像部により撮像させない
請求項１記載の撮像装置。
【請求項５】
前記撮像制御部は、前記検出部により前記基準値よりも大きい揺れが検出された場合に、当該揺れが検出されてから予め定められた期間が経過するまでの間、前記撮像部による撮像を停止させる
請求項１記載の撮像装置。
【請求項６】
動画を構成する複数の画像を撮像する撮像部と、
前記撮像部により撮像される画面上で被写体が移動する移動速度を検出する検出部と、
前記検出部により検出された移動速度が、予め定められた基準値よりも大きい場合に、当該移動速度が前記基準値よりも小さい場合と比較して、前記撮像部により単位時間当たりに撮像される画像の数を減少させる撮像制御部と、
を備える撮像装置。
【請求項７】
前記基準値よりも大きい移動速度が検出された場合に、当該移動速度が検出される前に撮像された第１の画像と、当該移動速度が検出された後に撮像された第２の画像との間に再生されるべき画像を、前記第１の画像および前記第２の画像に基づいて生成する画像生成部
を更に備える請求項６記載の撮像装置。
【請求項８】
前記画像生成部は、更に、前記第１の画像と前記第２の画像との間に再生されるべき画像に、場面転換の演出処理を施す
請求項７記載の撮像装置。
【請求項９】
前記画像生成部は、前記基準値よりも大きい移動速度が検出された場合に、前記第１の画像と前記第２の画像との間に再生させるべき画像として、前記第１の画像に、前記第２の画像を、当該移動速度が検出された場合の被写体の移動方向と同一方向に移動させて重ねて表示する画像を生成する
請求項７記載の撮像装置。
【請求項１０】
前記撮像制御部は、前記基準値よりも大きい移動速度が検出されてから予め定められた期間内に、更に、当該移動速度が検出された場合の第１の移動とは逆方向の第２の移動において前記基準値よりも大きい移動速度が検出された場合に、前記第１の移動を開始してから前記第２の移動により前記第１の移動を開始する前の位置に戻るまでの間に撮像されるべき画像の少なくとも一部を、前記撮像部により撮像させない
請求項６記載の撮像装置。
【請求項１１】
動画を構成する複数の画像を記録している動画記録部と、
前記動画記録部に記録された動画を再生する動画再生部と、
前記動画再生部により再生される画像の被写体が画面上で揺れる揺れの大きさを検出する検出部と、
前記検出部により検出された揺れの大きさが、予め定められた基準値よりも大きい場合に、当該揺れの大きさが前記基準値よりも小さい場合と比較して、前記動画記録部に記録された単位時間当たりに再生されるべき画像のうち、前記動画再生部により単位時間当たりに再生される画像の割合を減少させる再生制御部と
を備える再生装置。
【請求項１２】
動画を構成する複数の画像を記録している動画記録部と、
前記動画記録部に記録された動画を再生する動画再生部と、
前記動画再生部により再生される画像の被写体が画面上で移動する移動速度を検出する検出部と、
前記検出部により検出された移動速度が、予め定められた基準値よりも大きい場合に、当該移動速度が前記基準値よりも小さい場合と比較して、前記動画記録部に記録された単位時間当たりに再生されるべき画像のうち、前記動画再生部により単位時間当たりに再生される画像の割合を減少させる再生制御部と
を備える再生装置。
【請求項１３】
動画の撮像装置の制御方法であって、
動画を構成する複数の画像を撮像する段階と、
撮像される画像の被写体が画面上で揺れる揺れの大きさを検出する段階と、
検出された揺れの大きさが、予め定められた基準値よりも大きい場合に、当該揺れの大きさが前記基準値よりも小さい場合と比較して、単位時間当たりに撮像される画像の数を減少させる段階と
を備える制御方法。
【請求項１４】
動画の撮像装置の制御方法であって、
動画を構成する複数の画像を撮像する段階と、
撮像される画面上で被写体が移動する移動速度を検出する段階と、
検出された移動速度が、予め定められた基準値よりも大きい場合に、当該移動速度が前記基準値よりも小さい場合と比較して、単位時間当たりに撮像される画像の数を減少させる段階と、
を備える制御方法。
【請求項１５】
動画を再生する再生装置の制御方法であって、
前記再生装置は、
動画を構成する複数の画像を記録している動画記録部と、
前記動画記録部に記録された動画を再生する動画再生部と
を有し、
前記動画再生部により再生される画像の被写体が画面上で揺れる揺れの大きさを検出する段階と、
検出された揺れの大きさが、予め定められた基準値よりも大きい場合に、当該揺れの大きさが前記基準値よりも小さい場合と比較して、前記動画記録部に記録された単位時間当たりに再生されるべき画像のうち、前記動画再生部により単位時間当たりに再生される画像の割合を減少させる段階と
を備える制御方法。
【請求項１６】
動画を再生する再生装置の制御方法であって、
前記再生装置は、
動画を構成する複数の画像を記録している動画記録部と、
前記動画記録部に記録された動画を再生する動画再生部と
を有し、
前記動画再生部により再生される画像の被写体が画面上で移動する移動速度を検出する段階と、
検出された移動速度が、予め定められた基準値よりも大きい場合に、当該移動速度が前記基準値よりも小さい場合と比較して、前記動画記録部に記録された単位時間当たりに再生されるべき画像のうち、前記動画再生部により単位時間当たりに再生される画像の割合を減少させる段階と
を備える制御方法。
【請求項１７】
動画を再生する再生装置を制御するプログラムであって、
前記再生装置を、
動画を構成する複数の画像を記録している動画記録部と、
前記動画記録部に記録された動画を再生する動画再生部と、
前記動画再生部により再生される画像の被写体が画面上で揺れる揺れの大きさを検出する検出部と、
前記検出部により検出された揺れの大きさが、予め定められた基準値よりも大きい場合に、当該揺れの大きさが前記基準値よりも小さい場合と比較して、前記動画記録部に記録された単位時間当たりに再生されるべき画像のうち、前記動画再生部により単位時間当たりに再生される画像の割合を減少させる再生制御部と
して機能させるプログラム。
【請求項１８】
動画を再生する再生装置を制御するプログラムであって、
前記再生装置を、
動画を構成する複数の画像を記録している動画記録部と、
前記動画記録部に記録された動画を再生する動画再生部と、
前記動画再生部により再生される画像の被写体が画面上で移動する移動速度を検出する検出部と、
前記検出部により検出された移動速度が、予め定められた基準値よりも大きい場合に、当該移動速度が前記基準値よりも小さい場合と比較して、前記動画記録部に記録された単位時間当たりに再生されるべき画像のうち、前記動画再生部により単位時間当たりに再生される画像の割合を減少させる再生制御部と
して機能させるプログラム。
【発明の詳細な説明】
【技術分野】
【０００１】
本発明は、撮像装置、再生装置、制御方法、およびプログラムに関する。特に、本発明は、動画を撮像又は再生する撮像装置、再生装置、制御方法、およびプログラムに関する。
【背景技術】
【０００２】
近年、動画像の撮像装置（例えばデジタルビデオカメラ等）が、放送局等の特殊用途のみならず広く一般に普及してきている。動画像は、静止画、文章、および音声等の他の形態の情報と比較して、多量の情報を含んでいるので、撮像場面の臨場感を伝える手段としてのみならず、映像資料やプレゼンテーションといった情報伝達媒体としても利用価値が高い。このため、近年では、動画像として保存されたデータが膨大となり、そのデータを効率的かつ利用者に閲覧し易く管理することが望まれている。
【０００３】
これに対して、従来、既に撮像された膨大な動画像の中から特徴的な部分を分かり易く表示させることを目的として、画像間の動きベクトルが大きい動画部分を、他の部分よりも長く表示して再生する技術が提案されている（特許文献１参照。）。
【特許文献１】特開２００２−２１８３９９号公報
【発明の開示】
【発明が解決しようとする課題】
【０００４】
しかしながら、上記の特許文献１に記載の技術によれば、利用者にとって重要でない動画部分であっても、画像間の動きベクトルが大きければ表示時間を長く確保して再生してしまう。例えば、撮像装置の操作に不慣れな利用者が動画を撮像した場合においては、手ブレの発生により、表示画面中の被写体に揺れが生じる場合が多い。上記の技術によれば、このような手ブレの発生に起因する動画をも重要な画像と判断して再生してしまう。
【０００５】
また、静止画の撮影と比較して、動画の撮影には、ズームやパンなどの操作にテクニックが必要である。例えば、撮像に不慣れな利用者は、急激なズーム操作や、ズームインおよびズームアウトの繰り返しにより、動画の視聴者に不快感を与えてしまう場合もある。上記の特許文献１に記載の技術によれば、このような不快感を与える部分をも、重要な画像として長く表示してしまう場合があった。
【０００６】
そこで本発明は、上記の課題を解決することのできる撮像装置、再生装置、制御方法、およびプログラムを提供することを目的とする。この目的は特許請求の範囲における独立項に記載の特徴の組み合わせにより達成される。また従属項は本発明の更なる有利な具体例を規定する。
【課題を解決するための手段】
【０００７】
上記課題を解決するために、本発明の第１の形態においては、動画を構成する複数の画像を撮像する撮像部と、前記撮像部により撮像される画像の被写体が画面上で揺れる揺れの大きさを検出する検出部と、前記検出部により検出された揺れの大きさが、予め定められた基準値よりも大きい場合に、当該揺れの大きさが前記基準値よりも小さい場合と比較して、前記撮像部により単位時間当たりに撮像される画像の数を減少させる撮像制御部とを備える撮像装置を提供する。
【０００８】
また、前記撮像制御部は、前記検出部により検出された揺れの大きさが前記基準値よりも大きい場合に、前記撮像部により被写体を静止画のコマ送り画像として撮像させてもよい。
また、前記撮像制御部により、単位時間当たりに撮像される当該画像の数が減少された場合に、当該画像の数が減少されていない場合と比較して、前記撮像部により各々の前記画像を撮像する場合の露出時間を短縮させる露出時間制御部を更に備えてもよい。
【０００９】
また、前記撮像制御部は、前記撮像部がズームインおよびズームアウトの一方の操作を行ってから予め定められた期間内に他方の操作を行った場合に、当該他方の操作を開始してから、当該一方の操作を開始する前のズーム位置に達するまでの間に撮像されるべき画像の少なくとも一部を、前記撮像部により撮像させなくてもよい。
また、前記撮像制御部は、前記検出部により前記基準値よりも大きい揺れが検出された場合に、当該揺れが検出されてから予め定められた期間が経過するまでの間、前記撮像部による撮像を停止させてもよい。
【００１０】
本発明の第２の形態においては、動画を構成する複数の画像を撮像する撮像部と、前記撮像部により撮像される画面上で被写体が移動する移動速度を検出する検出部と、前記検出部により検出された移動速度が、予め定められた基準値よりも大きい場合に、当該移動速度が前記基準値よりも小さい場合と比較して、前記撮像部により単位時間当たりに撮像される画像の数を減少させる撮像制御部とを備える撮像装置を提供する。
【００１１】
また、前記基準値よりも大きい移動速度が検出された場合に、当該移動速度が検出される前に撮像された第１の画像と、当該移動速度が検出された後に撮像された第２の画像との間に再生されるべき画像を、前記第１の画像および前記第２の画像に基づいて生成する画像生成部を更に備えてもよい。
また、前記画像生成部は、更に、前記第１の画像と前記第２の画像との間に再生されるべき画像に、場面転換の演出処理を施してもよい。
【００１２】
また、前記画像生成部は、前記基準値よりも大きい移動速度が検出された場合に、前記第１の画像と前記第２の画像との間に再生させるべき画像として、前記第１の画像に、前記第２の画像を、当該移動速度が検出された場合の被写体の移動方向と同一方向に移動させて重ねて表示する画像を生成してもよい。
また、前記撮像制御部は、前記基準値よりも大きい移動速度が検出されてから予め定められた期間内に、更に、当該移動速度が検出された場合の第１の移動とは逆方向の第２の移動において前記基準値よりも大きい移動速度が検出された場合に、前記第１の移動を開始してから前記第２の移動により前記第１の移動を開始する前の位置に戻るまでの間に撮像されるべき画像の少なくとも一部を、前記撮像部により撮像させなくてもよい。
【００１３】
本発明の第３の形態においては、動画を構成する複数の画像を記録している動画記録部と、前記動画記録部に記録された動画を再生する動画再生部と、前記動画再生部により再生される画像の被写体が画面上で揺れる揺れの大きさを検出する検出部と、前記検出部により検出された揺れの大きさが、予め定められた基準値よりも大きい場合に、当該揺れの大きさが前記基準値よりも小さい場合と比較して、前記動画記録部に記録された単位時間当たりに再生されるべき画像のうち、前記動画再生部により単位時間当たりに再生される画像の割合を減少させる再生制御部とを備える再生装置を提供する。
【００１４】
本発明の第４の形態においては、動画を構成する複数の画像を記録している動画記録部と、前記動画記録部に記録された動画を再生する動画再生部と、前記動画再生部により再生される画像の被写体が画面上で移動する移動速度を検出する検出部と、前記検出部により検出された移動速度が、予め定められた基準値よりも大きい場合に、当該移動速度が前記基準値よりも小さい場合と比較して、前記動画記録部に記録された単位時間当たりに再生されるべき画像のうち、前記動画再生部により単位時間当たりに再生される画像の割合を減少させる再生制御部とを備える再生装置を提供する。
【００１５】
本発明の第５の形態においては、動画の撮像装置の制御方法であって、動画を構成する複数の画像を撮像する段階と、撮像される画像の被写体が画面上で揺れる揺れの大きさを検出する段階と、検出された揺れの大きさが、予め定められた基準値よりも大きい場合に、当該揺れの大きさが前記基準値よりも小さい場合と比較して、単位時間当たりに撮像される画像の数を減少させる段階とを備える制御方法を提供する。
【００１６】
本発明の第６の形態においては、動画の撮像装置の制御方法であって、動画を構成する複数の画像を撮像する段階と、撮像される画面上で被写体が移動する移動速度を検出する段階と、検出された移動速度が、予め定められた基準値よりも大きい場合に、当該移動速度が前記基準値よりも小さい場合と比較して、単位時間当たりに撮像される画像の数を減少させる段階とを備える制御方法を提供する。
【００１７】
本発明の第７の形態においては、動画を再生する再生装置の制御方法であって、前記再生装置は、動画を構成する複数の画像を記録している動画記録部と、前記動画記録部に記録された動画を再生する動画再生部とを有し、前記動画再生部により再生される画像の被写体が画面上で揺れる揺れの大きさを検出する段階と、検出された揺れの大きさが、予め定められた基準値よりも大きい場合に、当該揺れの大きさが前記基準値よりも小さい場合と比較して、前記動画記録部に記録された単位時間当たりに再生されるべき画像のうち、前記動画再生部により単位時間当たりに再生される画像の割合を減少させる段階とを備える制御方法を提供する。
【００１８】
本発明の第８の形態においては、動画を再生する再生装置の制御方法であって、前記再生装置は、動画を構成する複数の画像を記録している動画記録部と、前記動画記録部に記録された動画を再生する動画再生部とを有し、前記動画再生部により再生される画像の被写体が画面上で移動する移動速度を検出する段階と、検出された移動速度が、予め定められた基準値よりも大きい場合に、当該移動速度が前記基準値よりも小さい場合と比較して、前記動画記録部に記録された単位時間当たりに再生されるべき画像のうち、前記動画再生部により単位時間当たりに再生される画像の割合を減少させる段階とを備える制御方法を提供する。
【００１９】
本発明の第９の形態においては、動画を再生する再生装置を制御するプログラムであって、前記再生装置を、動画を構成する複数の画像を記録している動画記録部と、前記動画記録部に記録された動画を再生する動画再生部と、前記動画再生部により再生される画像の被写体が画面上で揺れる揺れの大きさを検出する検出部と、前記検出部により検出された揺れの大きさが、予め定められた基準値よりも大きい場合に、当該揺れの大きさが前記基準値よりも小さい場合と比較して、前記動画記録部に記録された単位時間当たりに再生されるべき画像のうち、前記動画再生部により単位時間当たりに再生される画像の割合を減少させる再生制御部として機能させるプログラムを提供する。
【００２０】
本発明の第１０の形態においては、動画を再生する再生装置を制御するプログラムであって、前記再生装置を、動画を構成する複数の画像を記録している動画記録部と、前記動画記録部に記録された動画を再生する動画再生部と、前記動画再生部により再生される画像の被写体が画面上で移動する移動速度を検出する検出部と、前記検出部により検出された移動速度が、予め定められた基準値よりも大きい場合に、当該移動速度が前記基準値よりも小さい場合と比較して、前記動画記録部に記録された単位時間当たりに再生されるべき画像のうち、前記動画再生部により単位時間当たりに再生される画像の割合を減少させる再生制御部として機能させるプログラムを提供する。
なお、上記の発明の概要は、本発明の必要な特徴の全てを列挙したものではなく、これらの特徴群のサブコンビネーションもまた、発明となりうる。
【発明の効果】
【００２１】
本発明によれば、動画像から不要な部分を除外して記録媒体の必要容量を削減すると共に、利用者に対して動画の再生画像を見栄えよく表示することができる。
【発明を実施するための最良の形態】
【００２２】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００２３】
図１は、動画像処理システム１０の全体構成を示す。動画像処理システム１０は、撮像装置２０と、記録媒体３０と、再生装置４０と、管理用コンピュータ４５とを備える。撮像装置２０は、被写体の画像を連続して順次撮像することにより、複数の当該画像から構成される動画を撮像する。記録媒体３０は、撮像装置２０により撮像された動画のデータを記録する。再生装置４０は、記録媒体３０に記録された動画のデータを読み出して再生し、視聴者に表示する。管理用コンピュータ４５は、再生装置４０を制御するプログラムを記録媒体４８から読み出して再生装置４０において実行させる。記録媒体４８は、例えば、ＣＤ−ＲＯＭやＤＶＤ−ＲＯＭ等の光学メディアであってもよいし、メモリカード等の半導体メディアであってもよいし、ハードディスクドライブ等の磁気記録メディアであってもよい。
【００２４】
本実施例に係る動画像処理システム１０は、撮像装置２０によって撮像される動画像のうち、利用者の誤操作等によって撮像された不要部分を除外して記録媒体３０に記録させることを目的とする。また、動画像処理システム１０は、再生装置４０によって再生される動画像のうち、利用者の誤操作等によって撮像された不要部分を除外して視聴者に表示することを目的とする。
【００２５】
なお、本実施例においては説明の便宜上、撮像装置２０および再生装置４０を別個の装置として説明するが、これらの一方が他方の機能の少なくとも一部を含んでいてもよい。また、本実施例においては記録媒体３０を撮像装置２０および再生装置４０とは別個の媒体として説明するが、撮像装置２０および再生装置４０の少なくとも一方が記録媒体３０を内部に備えていてもよい。
【００２６】
図２は、撮像装置２０の機能を機能ブロックに分類して示す。撮像装置２０は、撮像部２００と、検出部２１０と、撮像制御部２２０と、露出時間制御部２３０とを有する。撮像部２００は、動画を構成する複数の画像を撮像する。ここで、撮像とは、単に光が光学素子に対して入射した状態では足りず、光学素子によって捉えた像を記録媒体３０やその他のメモリに記録することをいう。検出部２１０は、撮像部２００により撮像される画像の被写体が画面上で揺れる揺れの大きさを検出する。揺れの大きさとは、例えば、撮像画面上の被写体が所定時間内に移動した移動距離の累積値である。例えば、検出部２１０は、動画を構成する複数の画像の各々について、当該画像とその次の画像との間で被写体が移動した距離を算出し、所定時間内に撮像された画像についてその距離を合計してもよい。これに代えて、検出部２１０は、例えばジャイロ等の加速度センサーによって、撮像装置２０自体の揺れを直接検出してもよい。
【００２７】
また、検出部２１０は、撮像部２００により撮像される画面上で被写体が移動する移動速度を検出する。例えば、検出部２１０は、順次撮像される複数の画像の各々について、当該画像とその前の画像との間で被写体が移動した距離を算出し、その距離に基づいて被写体の移動速度を検出してもよい。
【００２８】
画像生成部２１５は、撮像部２００により基準値よりも大きい移動速度が検出された場合に、当該移動速度が検出される前に撮像された第１の画像と、当該移動速度が検出された後に撮像された第２の画像との間に再生されるべき画像を、第１の画像および第２の画像に基づいて生成する。例えば、画像生成部２１５は、スライドショー等による場面転換の演出処理を伴って、第１の画像から第２の画像に表示を切り替える演出用の画像を生成してもよい。そして、画像生成部２１５は、生成した画像を記録媒体３０に記録させる。
【００２９】
撮像制御部２２０は、検出部２１０により検出された揺れの大きさが、予め定められた基準値よりも大きい場合に、その揺れの大きさが基準値よりも小さい場合と比較して、撮像部２００により単位時間当たりに撮像される画像の数を減少させる。また、撮像制御部２２０は、検出部２１０により検出された移動速度が、予め定められた基準値よりも大きい場合に、その移動速度が基準値よりも小さい場合と比較して、撮像部２００により単位時間当たりに撮像される画像の数を減少させる。撮像部２００により単位時間当たりに撮像される画像の数とは、例えば、単位時間内に撮像された画像として記録媒体３０に記録される画像の数である。即ち例えば、撮像部２００における受光素子によっては一定の頻度で被写体が撮像されていてもよく、撮像制御部２２０は、結果として記録媒体３０に保存される画像の数を減少させればよい。
【００３０】
露出時間制御部２３０は、撮像制御部２２０により、単位時間当たりに撮像される画像の数が減少された場合に、当該画像の数が減少されていない場合と比較して、撮像部２００により各々の画像を撮像する場合の露出時間を短縮させる。
【００３１】
図３は、再生装置４０の機能を機能ブロックに分類して示す。再生装置４０は、動画記録部４００と、動画再生部４１０と、検出部４２０と、再生制御部４３０とを有する。動画記録部４００は、動画を構成する複数の画像を記録媒体３０から読み出して記録している。そして、動画再生部４１０は、動画記録部４００に記録された動画を再生して視聴者に表示する。検出部４２０は、動画再生部４１０により再生される画像の被写体が画面上で揺れる揺れの大きさと、動画再生部４１０により再生される画面上で被写体が移動する移動速度とを検出する。
【００３２】
再生制御部４３０は、検出部４２０により検出された揺れの大きさが、予め定められた基準値よりも大きい場合に、その揺れの大きさが基準値よりも小さい場合と比較して、動画記録部４００に記録された単位時間当たりに再生されるべき画像のうち、動画再生部４１０により単位時間当たりに再生される画像の割合を減少させる。即ち例えば、再生制御部４３０は、検出された揺れの大きさが基準値よりも大きい場合に、動画再生部４１０により再生される動画にフレーム落ちを生じさせてもよい。
【００３３】
また、再生制御部４３０は、検出部４２０により検出された移動速度が、予め定められた基準値よりも大きい場合に、その移動速度が基準値よりも小さい場合と比較して、動画記録部４００に記録された単位時間当たりに再生されるべき画像のうち、動画再生部４１０により単位時間当たりに再生される画像の割合を減少させる。即ち例えば、再生制御部４３０は、検出された揺れの大きさが基準値よりも大きい場合に、動画再生部４１０により再生される動画にフレーム落ちを生じさせてもよい。
【００３４】
続いて、図４から図６を用いて、画像の揺れを検出したことに応じて動画の撮像を制御する処理の具体例を説明する。
図４は、撮像装置２０が画像の揺れを検出した場合の第１の処理を示す。撮像装置２０は、以下の処理を、例えば数秒間隔で定期的に繰り返す。検出部２１０は、撮像部２００により撮像される画像の被写体が画面上で揺れる揺れの大きさを検出する（Ｓ４００）。撮像制御部２２０は、検出部２１０により検出された揺れの大きさが、予め定められた基準値よりも大きい場合に（Ｓ４１０：ＹＥＳ）、撮像部２００により単位時間当たりに撮像される画像の数を減少させる（Ｓ４２０）。
【００３５】
例えば、撮像制御部２２０は、撮像部２００により被写体を静止画のコマ送り画像として撮像させてもよい。これにより、手ブレ等により視聴者に不快感を与えることを防ぐことができる。そしてこの場合、露出時間制御部２３０は、撮像部２００により各々の画像を撮像する場合の露出時間を短縮させる（Ｓ４３０）。従来、動画の撮像においては、動画を滑らかに見せるために、静止画の撮影と比較して露出時間が長めに設定されている場合が多い。この露出時間のまま静止画を撮像すると、被写体ブレ又は手ブレが生じ易く、静止画としての見栄えが悪くなってしまう場合がある。露出時間制御部２３０によって露出時間を短縮させることで、コマ送り画像としての静止画を見栄えを向上させることができる。
【００３６】
一方で、検出部２１０により検出された揺れの大きさが基準値以下の場合に（Ｓ４１０：ＮＯ）、撮像制御部２２０は、撮像部２００により撮像される画像の数を初期値に設定する（Ｓ４４０）。そして、露出時間制御部２３０は、撮像部２００により各々の画像を撮像する場合の露出時間を初期値に設定する（Ｓ４５０）。
【００３７】
図５は、撮像装置２０が画像の揺れを検出した場合の第２の処理を示す。検出部２１０は、撮像部２００により撮像される画像の被写体が画面上で揺れる揺れの大きさを検出する（Ｓ５００）。撮像制御部２２０は、検出部２１０により検出された揺れの大きさが、予め定められた基準値よりも大きい場合に（Ｓ５１０：ＹＥＳ）、その揺れが検出されてから予め定められた期間が経過するまでの間、撮像部２００による撮像を停止させる（Ｓ５２０）。これにより、操作ミス等により撮像される不要な画像が保存されないので、視聴者に不快感を与えることを防ぐと共に、記録媒体３０の必要容量を削減できる。
【００３８】
図６は、撮像装置２０がズームイン又はズームアウトを検出した場合における処理を示す。本図を用いて、ズームイン又はズームアウトの何れか一方に連続して他方が行われた場合の処理を説明する。撮像制御部２２０は、ズームイン操作が検出されたか否かを判断する（Ｓ６００）。ズームイン操作が検出された場合に（Ｓ６００：ＹＥＳ）、撮像制御部２２０は、そのズームイン操作が、ズームアウト操作を行ってから予め定められた期間内に行われたか否かを判断する（Ｓ６１０）。
【００３９】
ズームアウト操作を行ってから予め定められた期間内に行われた場合に（Ｓ６１０：ＹＥＳ）、撮像制御部２２０は、ズームアウト操作を開始してから、そのズームアウト操作を開始する前のズーム位置にズームイン操作によって達するまでの間に撮像されるべき画像の少なくとも一部を、撮像部２００によって撮像させないように制御する（Ｓ６２０）。
【００４０】
一方、ズームイン操作が検出されず（Ｓ６００：ＮＯ）、ズームアウト操作が検出された場合に（Ｓ６３０：ＹＥＳ）、撮像制御部２２０は、そのズームアウト操作が、ズームイン操作を行ってから予め定められた期間内に行われたか否かを判断する（Ｓ６４０）。ズームイン操作を行ってから当該期間内に行われた場合に（Ｓ６４０：ＹＥＳ）、撮像制御部２２０は、ズームイン操作を開始してから、そのズームイン操作を開始する前のズーム位置にズームアウト操作によって達するまでの間に撮像されるべき画像の少なくとも一部を、撮像部２００によって撮像させないように制御する（Ｓ６５０）。
【００４１】
これにより、ズームイン操作又はズームアウト操作が過剰であって直ちにその逆の操作が行われる場合には、過剰な操作によって撮像される見栄えの悪い画像を、撮像対象から除外することができる。
【００４２】
以上、図４から図６によって、撮像装置２０が揺れを検出した場合の処理を説明したが、撮像装置２０は、以上の図４から図６に示す何れかの処理を利用者の指示に基づいて選択して実行してもよい。また、撮像装置２０は、図４から図６に示す処理のうち任意の複数の処理を組み合わせて実行してもよい。これにより、利用者の都合に合わせて所望の画像を得ることができる。
【００４３】
図７は、撮像装置２０が被写体の移動速度を検出する場合の処理を示す。検出部２１０は、撮像部２００により撮像される画面上で被写体が移動する移動速度を検出する（Ｓ７００）。撮像部２００により検出された移動速度が、予め定められた基準値よりも大きい場合に（Ｓ７１０：ＹＥＳ）、撮像制御部２２０は、その移動とは逆方向の移動において、基準値よりも大きい移動速度が検出されてから予め定められた期間内であるか否かを判断する（Ｓ７２０）。
【００４４】
予め定められた期間内である場合に（Ｓ７２０：ＹＥＳ）、撮像制御部２２０は、基準値よりも大きい移動速度が検出された場合の第１の移動を開始してから、当該第１の移動の逆方向である第２の移動により第１の移動を開始する前の位置に戻るまでの間に撮像されるべき画像の少なくとも一部を、撮像部２００により撮像させないように制御する（Ｓ７３０）。これにより、撮像方向を変更する過剰な操作によって見栄えの悪い動画が撮像されることを防ぐことができる。
【００４５】
一方で、逆方向の移動から予め定められた期間内でない場合に（Ｓ７２０：ＮＯ）、画像生成部２１５は、当該移動速度が検出される前に撮像された第１の画像と、当該移動速度が検出された後に撮像された第２の画像との間に再生されるべき画像を、当該第１の画像および当該第２の画像に基づいて生成する（Ｓ７４０）。更に、画像生成部２１５は、第１の画像と第２の画像との間に再生されるべき当該画像に、場面転換の演出処理を施してもよい。
【００４６】
図８は、画像生成部２１５によって生成される画像の一例を示す。撮像部２００は、検出部２１０により基準値以上の移動速度が検出される前に、フレーム画像８００を撮像する。この場合の撮像装置２０は、被写体Ａと相対し、被写体Ｂを画角内に含まない位置関係にある。従って、フレーム画像８００は、中央に被写体Ａを含む。また、撮像部２００は、検出部２１０により基準値以上の移動速度が検出された後に、フレーム画像８４０を撮像する。この場合の撮像装置２０は、被写体Ｂと相対し、被写体Ａを画角内に含まない位置関係にある。従って、フレーム画像８４０は、中央に被写体Ｂを含む。
【００４７】
画像生成部２１５は、検出部２１０により基準値以上の移動速度が検出された場合に、その検出時のフレーム画像を保存の対象から除外する。そして、画像生成部２１５は、削除したそのフレーム画像に代えて、フレーム画像８００およびフレーム画像８４０に基づいて、フレーム画像８１０、フレーム画像８２０、およびフレーム画像８３０の各々を生成する。例えば、画像生成部２１５は、被写体Ａを中央に含む画像に対して、被写体Ｂを中央に含む画像が、右斜め上方から次第にフレームインする動画を生成する。フレームインの方向は、撮像画面上における被写体の相対的な移動方向と同一であることが好ましい。即ち例えば、画像生成部２１５は、基準値よりも大きい移動速度が検出された場合に、移動前の第１の画像と移動後の第２の画像との間に再生されるべき画像として、第１の画像に、第２の画像を、当該移動速度が検出された場合の被写体の移動方向と同一方向に移動させて重ねて表示する。これにより、利用者の直感に沿った演出を行うことができる。
【００４８】
図９は、再生装置４０が画像の揺れを検出した場合の第１の処理を示す。再生装置４０は、以下の処理を、例えば数秒間隔で定期的に繰り返す。検出部４２０は、動画再生部４１０により再生される画像の被写体が画面上で揺れる揺れの大きさを検出する（Ｓ９００）。再生制御部４３０は、動画再生部４１０により検出された揺れの大きさが、予め定められた基準値よりも大きい場合に（Ｓ９１０：ＹＥＳ）、動画再生部４１０により単位時間当たりに再生される画像の数を減少させる（Ｓ９２０）。例えば、再生制御部４３０は、動画再生部４１０により被写体を静止画のコマ送り画像として再生させてもよい。これにより、手ブレ等により視聴者に不快感を与えることを防ぐことができる。一方で、検出部４２０により検出された揺れの大きさが基準値以下の場合に（Ｓ９１０：ＮＯ）、再生制御部４３０は、動画再生部４１０により再生される画像の数を初期値に設定する（Ｓ９３０）。
【００４９】
図１０は、再生装置４０が画像の揺れを検出した場合の第２の処理を示す。検出部４２０は、動画再生部４１０により再生される画像の被写体が画面上で揺れる揺れの大きさを検出する（Ｓ１０００）。再生制御部４３０は、検出部４２０により検出された揺れの大きさが、予め定められた基準値よりも大きい場合に（Ｓ１０１０：ＹＥＳ）、その揺れが検出されてから予め定められた期間が経過するまでの間、動画再生部４１０による再生を停止させる（Ｓ１０２０）。
【００５０】
一方で、検出部４２０により検出された揺れの大きさが基準値以下の場合に（Ｓ１０１０：ＮＯ）、再生制御部４３０は、動画再生部４１０による再生が停止されているか否かを判断する（Ｓ１０３０）。動画再生部４１０による再生が停止されている場合に（Ｓ１０３０：ＹＥＳ）、再生制御部４３０は、再生の停止から予め定められた期間が経過したか否かを判断する（Ｓ１０４０）。再生の停止から当該期間が経過した場合には（Ｓ１０４０：ＹＥＳ）、再生制御部４３０は、動画再生部４１０による再生を再開させる（Ｓ１０５０）。これにより、操作ミス等により撮像される不要な画像が再生されないので、視聴者に不快感を与えることを防ぐことができる。
【００５１】
以上、図４および図５によって、再生装置４０が揺れを検出した場合の処理を説明したが、再生装置４０は、以上の図５および図５の何れかの処理を利用者の指示に基づいて選択して実行してもよい。これにより、利用者の都合や動画の種類に合わせて所望の画像を表示することができる。
【００５２】
図１１は、再生装置４０が被写体の移動速度を検出する場合の処理を示す。検出部４２０は、動画再生部４１０により再生される画面上で被写体が移動する移動速度を検出する（Ｓ１１００）。検出部４２０により検出された移動速度が、予め定められた基準値よりも大きい場合に（Ｓ１１１１０：ＹＥＳ）、再生制御部４３０は、その移動とは逆方向の移動において、基準値よりも大きい移動速度が検出されてから予め定められた期間内であるか否かを判断する（Ｓ１１２０）。
【００５３】
予め定められた期間内である場合に（Ｓ１１２０：ＹＥＳ）、再生制御部４３０は、基準値よりも大きい移動速度が検出された場合の第１の移動を開始してから、当該第１の移動の逆方向である第２の移動により第１の移動を開始する前の位置に戻るまでの間に再生されるべき画像の少なくとも一部を、動画再生部４１０により再生させないように制御する（Ｓ１１３０）。これにより、撮像方向を変更する過剰な撮像操作によって見栄えの悪い動画が再生されることを防ぐことができる。
【００５４】
一方で、逆方向の移動から予め定められた期間内でないか、又は、逆方向の移動が検出されない場合に（Ｓ１１２０：ＮＯ）、再生制御部４３０は、移動の検出前から検出後までに再生されるべき画像のフレーム数を減少させて、静止画のコマ送り画像として再生する（Ｓ１１４０）。
【００５５】
以上、本実施例に係る動画像処理システム１０によれば、撮像される動画像のうち、利用者の誤操作等によって撮像された不要部分を除外して記録媒体３０に記録させることができる。また、このような不要部分を含む動画像が既に撮像されている場合であっても、再生時にそのような不要部分を除外することで、利用者に不快感を与えてしまうことを防止することができる。これにより、撮像装置に不慣れな利用者でも手軽に見栄えのよい動画像を作成することができる。
【００５６】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００５７】
【図１】図１は、動画像処理システム１０の全体構成を示す。
【図２】図２は、撮像装置２０の機能を機能ブロックに分類して示す。
【図３】図３は、再生装置４０の機能を機能ブロックに分類して示す。
【図４】図４は、撮像装置２０が画像の揺れを検出した場合の第１の処理を示す。
【図５】図５は、撮像装置２０が画像の揺れを検出した場合の第２の処理を示す。
【図６】図６は、撮像装置２０がズームイン又はズームアウトを検出した場合における処理を示す。
【図７】図７は、撮像装置２０が被写体の移動速度を検出する場合の処理を示す。
【図８】図８は、画像生成部２１５によって生成される画像の一例を示す。
【図９】図９は、再生装置４０が画像の揺れを検出した場合の第１の処理を示す。
【図１０】図１０は、再生装置４０が画像の揺れを検出した場合の第２の処理を示す。
【図１１】図１１は、再生装置４０が被写体の移動速度を検出する場合の処理を示す。
【符号の説明】
【００５８】
１０  動画像処理システム
２０  撮像装置
３０  記録媒体
４０  再生装置
４５  管理用コンピュータ
４８  記録媒体
２００  撮像部
２１０  検出部
２１５  画像生成部
２２０  撮像制御部
２３０  露出時間制御部
４００  動画記録部
４１０  動画再生部
４２０  検出部
４３０  再生制御部
８００  フレーム画像
８１０  フレーム画像
８２０  フレーム画像
８３０  フレーム画像
８４０  フレーム画像
【図１】
2006311145.tif 000003
【図２】
2006311145.tif 000004
【図３】
2006311145.tif 000005
【図４】
2006311145.tif 000006
【図５】
2006311145.tif 000007
【図６】
2006311145.tif 000008
【図７】
2006311145.tif 000009
【図８】
2006311145.tif 000010
【図９】
2006311145.tif 000011
【図１０】
2006311145.tif 000012
【図１１】
2006311145.tif 000013